(57)【要約】【課題】カバーユニットで、必要とする文具や他の品物を収納でき、また、カバーユニットとマウンドユニットを利用して、畳み合うや巻き取ることができ、より良い便利性や活用性が実現される収納式手帳を提供する。【解決手段】その内側面の一側に少なくとも格納領域が設けられ、内側面の適当な位置に少なくとも二つの対応するインターベッド領域が設けられ、また、二つのインターベッド領域の間に可動締め具が設けられるカバーユニットと、少なくとも上記カバーユニットの一側縁に設けられ、接合部品を有する伸び部と複数のカバーユニットの外側面に設けられ、それぞれ接合部品と結合するための接合ユニットが含まれるマウンドユニットと、可動的に上記カバーユニットの可動締め具上に設けられる記録ユニットと、が含有される。【選択図】図１
0003148692.tif 000002
【実用新案登録請求の範囲】
【請求項１】
その内側面の一側に、少なくとも格納領域が設けられ、内側面の適当な位置に、少なくとも二つの対応するインターベッド領域が設けられ、また、二つのインターベッド領域の間に、可動締め具が設けられるカバーユニットと、
少なくとも、上記カバーユニットの一側縁に設けられ、接合部品を有する伸び部と、複数のカバーユニットの外側面に設けられ、それぞれ、接合部品と結合するための接合ユニットが含まれるマウンドユニットと、
可動的に上記カバーユニットの可動締め具上に設けられる記録ユニットと、が含有される、ことを特徴とする収納式手帳。
【請求項２】
上記カバーユニットは、フレキシブルな材質からなることを特徴とする請求項１に記載の収納式手帳。
【請求項３】
上記接合部品と各接合ユニットは、互いに吸引できる磁石であることを特徴とする請求項１に記載の収納式手帳。
【考案の詳細な説明】
【技術分野】
【０００１】
本考案は、収納式手帳に関し、特に、カバーユニットにより、必要とする文具や他の品物を収納でき、また、持ち歩く時、カバーユニットとマウンドユニットとを利用して、畳み合いや巻き取りができ、より良い便利性や活用性が得られるものに関する。
【背景技術】
【０００２】
一般の、従来の手帳は、カバーと、複数のカバー内に設置された内ページとから構成され、ユーザーが、持ち歩くことが、便利で、その内ページで、必要とするものを記録できる。
【０００３】
一般の、従来の手帳は、ユーザーによって持ち歩きながらものを記録できるが、上記手帳は、皮製やプラスチック製であるカバーであっても、硬い材質からなるため、優れた支持効果が得られるが、所定の体積を有し、例えば、上記手帳の体積が大きければ、いつも手で持つことができなく、また、鞄の中に格納する場合、大きい空間が取られ、また、逆に、手帳の体積が小さすぎると、おき忘れや紛失が多発し、そのため、一般の従来の手帳は、実用的とは言えない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、カバーユニットで、必要とする文具や他の品物を収納でき、持ち歩く場合、カバーユニットとマウンドユニットを利用して、畳み合いや巻き取りができ、より良い便利性や活用性が得られる収納式手帳を提供する。
【課題を解決するための手段】
【０００６】
本考案は、上記の目的を達成するため、その内側面の一側に、少なくとも格納領域が設けられ、内側面の適当な位置に、少なくとも二つの対応するインターベッド領域が設けられ、また、二つのインターベッド領域の間に、可動締め具が設けられるカバーユニットと、少なくとも、上記カバーユニットの一側縁に設けられ、接合部品を有する伸び部と、複数の、カバーユニットの外側面に設けられ、それぞれ、接合部品と結合するための接合ユニットが含まれるマウンドユニットと、可動的に、上記カバーユニットの可動締め具上に設けられる記録ユニットと、が含有されることを特徴とする収納式手帳である。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図１と図２は、それぞれ、本考案の展開状態概念図と本考案の他の展開状態概念図である。図のように、本考案は、収納式手帳であり、少なくとも、カバーユニット１とマウンドユニット２及び記録ユニット３から構成され、カバーユニット１で、必要とする文具や他の品物を収納でき、持ち歩く場合、カバーユニット１とマウンドユニット３を利用して、畳み合いや巻き取りができ、より良い便利性と活用性が得られる。
【０００９】
上記のカバーユニット１は、フレキシブルな材質からなり、少なくとも、その内側面の一側に、格納領域１１が設けられ、上記格納領域１１の開口に、結合部１１１が設けられ、また、上記カバーユニット１の内側面において、適当な位置に、少なくとも、二つの対応するインターベッド領域１２が設けられ、二つのインターベッド領域１２の間に、可動締め具１３が設けられ、各インターベッド領域１２の一面に、それぞれ、少なくとも、格納部１２１が設けられ、また、上記カバーユニット１の内側面の中央に、支持部１４が設けられる。
【００１０】
上記マウンドユニット２は、少なくとも、上記カバーユニット１の一側縁に設けられ、接合部品２２を有する伸び部２１と、複数のカバーユニット１の外側面に設けられ、それぞれ、接合部品２２と結合できる接合ユニット２３と、が含有され、上記接合部品２２と各接合ユニット２３は、互いに、係止できる係止具であるか、互いに吸引できる磁石である。
【００１１】
上記記録ユニット３は、可動的に、上記カバーユニット１の可動締め具１３上に設けられ、複数の内ページ３１を有する。上記の構造により、新規の収納式手帳が構成される。
【００１２】
図３は、本考案の使用状態概念図である。図のように、本考案によれば、ユーザーが、上記カバーユニット１の格納領域１１を利用して、必要とする文具用品４を収納でき、また、上記格納領域１１の開口にある結合部１１１を利用して、上記格納領域１１の開閉を行い、また、上記インターベッド領域１２と格納部１２１に、他の品物５（例えば、名刺や勘定書、領収書及び証明書等の書類）を収納することができ、また、上記可動締め具１３上に設置された記録ユニット３の各内ページ３１で、手書きにより、記録できる。
【００１３】
図４は、本考案の畳み合い状態概念図である。図のように、ユーザーが、本考案を畳み合って持ち歩く場合、上記カバーユニット１を、二つのインターベッド領域１２を基準として、畳み合って、上記可動締め具１３と記録ユニット３が、畳み合われたカバーユニット１に収納され、その後、上記格納領域１１を、カバーユニット１の外側へ向って接合ユニット２３の位置に畳んで、マウンドユニット２に設置された伸び部２１の接合部品２２と、カバーユニット１の外側の適当な位置にある接合ユニット２３とで結合すると、カバーユニット１が、スムーズに畳みあわれ、ユーザーがそれを便利に持ち歩くことができる。
【００１４】
図５と図６は、本考案の巻き取り状態概念図である。本考案によれば、図のように、上記カバーユニット１が、フレキシブルな材質からなる特性を利用して、上記カバーユニット１を、格納領域１１の離れの一側から、格納領域１１へ向かって記録ユニット３とともに、巻き取り、伸び部２１の近くに巻き取ると、伸び部２１上の接合部品２２とカバーユニット１の外側の適当な位置にある接合ユニット２３とが結合されることにより、カバーユニット１が巻き取られ、ユーザーが、便利にそれを持ち歩ける。
【００１５】
以上のように、本考案に係る収納式手帳は、有効に、従来の諸欠点を解消でき、また、カバーユニットで、必要とする文具や他の品物を収納でき、そして、カバーユニットとマウンドユニットを利用して、畳み合って巻き取って持ち歩くことができ、より良い便利性や活用性が実現され、そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の展開状態概念図
【図２】本考案の他の展開状態概念図
【図３】本考案の使用状態概念図
【図４】本考案の畳み合い状態概念図
【図５】本考案の巻き取り状態概念図
【図６】本考案の巻き取り状態概念図
【符号の説明】
【００１８】
１      カバーユニット
１１    格納領域
１１１  結合部
１２    インターベッド領域
１２１  格納部
１３    可動締め具
１４    支持部
２      マウンドユニット
２１    伸び部
２２    接合部品
２３    接合ユニット
３      記録ユニット
３１    内ページ
４      文具用品
５      他の品物
【図１】
0003148692.tif 000003
【図２】
0003148692.tif 000004
【図３】
0003148692.tif 000005
【図４】
0003148692.tif 000006
【図５】
0003148692.tif 000007
【図６】
0003148692.tif 000008